Podtech/llm-jp-corpus-v4-ja_patent huggingface dataset:
(57)【要約】【課題】  低廉に得られて耐久性があり、通気性があって悪臭等の発生がなく、発酵効率に優れ、移動・保管に便利な発酵槽を提供すること。【解決手段】  樹脂繊維を布状に形成し且つ内側に通気性ビニールコーティング材を施した大形筒状の本体１の上面１ａに投入部２を設ける。本体１の下面１ｂに取出部３を設け、本体１の上面１ａの４か所に、帯状体４のループ部５を突出させて本体を吊り下げ状態で保持できるようにした。【選択図】          図１
0003113994.tif 000002
【実用新案登録請求の範囲】
【請求項１】
樹脂繊維を布状に形成し且つ内側に、通気性ビニールコーティング材を施した大形筒状の本体の上面に、蓋付き開口部のある投入部を設け、本体の下面に、投入部よりもやゝ大形とした底蓋付き取出部を設けるとともに、本体の上面の４か所に、本体の長手方向に沿って固定した帯状体のループ部を突出させ、以て本体を吊り下げ状態で保持できることを特徴とする移管式発酵槽。
【考案の詳細な説明】
【技術分野】
【０００１】  本考案は、有機性廃棄物質の発酵処理・移動・保管に便利な移管式発酵槽に関する。
【背景技術】
【０００２】  従来、槽の外形を小さくして保管の省スペース化、運送の容易化、操作性等の向上を意図した発酵槽は知られている（例えば特許文献１参照）。
【特許文献１】    特許公開２００３−２７５７２４号公報。
【考案の開示】
【考案が解決しようとする課題】
【０００３】  特許文献１に記載の技術は、有機物資源を収容して発酵させることにより肥料や飼料としてリサイクルできるようにした発酵槽であり、該技術は、上面が開口し底面が閉塞された槽本体と、底面が開口し上面が閉塞された上下動可能な上部槽と、槽本体内に所定量の有機物資源を収容した状態で上部槽を下降させることにより槽本体内の有機物資源の充填密度を高める上部槽移送手段を備えることを特徴としており、上部槽移送手段は、槽本体及び上部槽に一体的に設けられたガイド支柱、ガイドローラ及び昇降シリンダを有し、したがって装置が複雑となりその分コスト高になるという問題と、槽内の空気を短時間で抜くことはできても槽全体が容量小なため十分な量の廃棄物を発酵処理するためには繰り返し手数を要して効率が悪いという不具合があった。しかしてその他の従来技術にあっても槽構成部材にステンレス・鉄などの金属素材を用いたものが多く、経時変化による腐食発生を惹起したり悪臭の発生、更には移動に手数を要したり保管が面倒になるといった問題と、低廉に得られない等の不利があった。【０００４】  本考案は上記従来の事情に鑑みてなされたもので、素材が安価で製作が容易なため低廉に得られ、通気性を有して且つ丈夫であるから耐久性があり、悪臭を発生する恐れもなく発酵効率が良くて移動・保管にも便利な移管式発酵槽を提供することを目的としている。
【課題を解決するための手段】
【０００５】  すなわち本考案は、樹脂繊維を布状に形成し且つ内側に、通気性ビニールコーティング材を施した大形筒状の本体１の上面１ａに、蓋付き開口部のある投入部２を設け、本体１の下面に、投入部２よりもやゝ大形とした底蓋付き取出部３を設けるとともに、本体１の上面１ａの４か所に、本体１の長手方向に沿って固定した帯状体４のループ部５を突出させ、以て本体１を吊り下げ状態で保持できることを技術手段としている。
【考案の効果】
【０００６】  発酵槽本体を樹脂繊維で形成し且つ内側に通気性のコーティング材を施したので金属等と異なって丈夫で通気性があり、菌の活性化が助長されて有機物資源の発酵・培養が効率的に行われるとともに異臭の発生を抑えることができ、材質上本体の腐食や溶解を回避することもできて耐久性に優れ、また全体が柔軟なため本体自体の折り畳みが可能で膨大な占有空間を必要とせずに多数個の収納保管ができる。【０００７】  本体を大形筒状の簡易構造としたので複緒な工程を要さないで製作ができ、量産に適して安価に提供でき、本体内部が広く形成されるので大量の有機物資源を収容できる。【０００８】  本体上面にループ部を突出させたことによって例えばフォークリフトにおける上方に位置する鉤状部等への取り付けが容易となって吊り下げ状態で確実迅速な運搬・移管が可能になるとともに、吊り上げられた状態で本体下面の取出口より発酵材の排出がスムースになされ且つ倉庫などで吊り下げ状態のまゝ発酵処理や長期保存ができる。
【考案を実施するための最良の形態】
【０００９】  図面を参照して本考案実施の形態を説明すると、図１において１はポリ乳酸樹脂・ビニロン繊維等の樹脂繊維を布状に織成し且つ内側に通気性ビニールコーティング材を施した大形筒状の本体であり、上面１ａと下面１ｂを備え、高さが１．７５ｍ、直径が１．３５ｍ程度の大きさを有してなり、且つ本体１の上面１ａに、蓋付き開口部のある直径が８０ｃｍ程度の投入部２が設けられ、また本体１の下面１ｂに、投入部２よりもやゝ大形とした直径が８５ｃｍ程度の底蓋付き取出部３を設けている。【００１０】  ５は本体１の上面１ａの４か所に均等間隔で突出させた帯状体４のループ部である。帯状体４は本体同様樹脂繊維からなり、本体１の長手方向に沿って取り付け、本体上面１ａ上部で折り返すことによっておのずからループ部５が形成される。帯状体４を不動状とするために適所に任意の固着手段を施して本体１と固定する。また投入部２と取出部３に、帯状体４と同材の固定用締紐２ａ、３ａを夫々取り付ける。【００１１】  前記したように本体１は筒状であり、内部には仕切りとなるような部材は存在しないため家畜糞・乾燥鶏糞・土壌改良剤などを内部いっぱいに収容でき、大量の物質を発酵処理し、減量化、堆肥化、飼料化をすることができる。本実施形態では本体１に収容される物質の容量は２ｔとなるが、ループ部５は強靭で１か所あたり２ｔの重量にも耐えられるため、例え８ｔの荷重がかゝっても本体１の吊り下げ状態を維持することが可能となる。【００１２】  図２はフォークリフト１０を用いて本体１を吊り下げた状態の概略を示し、フォークリフト１０のアーム１１より垂下した鉤状体１２にループ部５を係合すれば本体１はバランス良く保持される。こうすることによってフォークリフト１０を走行して難なく発酵槽本体１を倉庫等へ容易に移動でき、そこでの発酵処理や保管ができるとともに、また吊り下げ状態としたことにより取出部３から発酵材の排出をスムースに行うことができる。しかして本体１内では好気培養も嫌気発酵もでき、本体１が保存用容器として機能することも勿論である。ちなみに本考案における発酵回数は１５０〜２００回可能で長期にわたって使用ができる。【００１３】  なお本体１はシンプルな形態のため、上記のようなフォークリフト１０を使用しないでも、例えば本体１をパレット（丕図示）の上に乗せてトラックのような運搬手段を用いて移動することも可能であり、移動を容易にするために全体をコンパクトに形成するといった従来の手法を取る必要はない。
【図面の簡単な説明】
【００１４】
【図１】  本案発酵槽全体の概略図である。
【図２】  フォークリフトを用いて本体を吊り下げた概略図である。
【符号の説明】
【００１５】１    本体
１ａ  上面
１ｂ  下面
２    投入部
３    取出部
４    帯状体
５    ループ部
【図１】
0003113994.tif 000003
【図２】
0003113994.tif 000004
(57)【要約】      （修正有）【課題】窓ガラスの結露防止や、室内の断熱、プライバシ−の保護、防音、防犯のために、雨戸を閉めていても、室内に光が入り明るくなる。【解決手段】雨戸の強度と防犯、また飛散物からの被害等を、考慮して窓を小さな物として、弾力性の有るカラ−アクリル板１を、ゴムパッキン２で、金属製雨戸２０に固定する。また、室内へ入る明かりの量は、雨戸用小窓１０の数で調整できる。【選択図】図１
0003113996.tif 000002
【実用新案登録請求の範囲】
【請求項１】
金属製雨戸に取付ける、カラ−アクリル板を使用した雨戸用小窓。
【請求項２】
雨戸用小窓が、開閉できる、換気用小窓。
【考案の詳細な説明】
【技術分野】
【０００１】  本考案は、金属製雨戸に小窓を付ける事により、室内に外の光を取り入れるものである
【背景技術】
【０００２】  現在の雨戸は、金属製の物が多く、種類としては、よく使用されている引違い窓用雨戸の他、シャッタ−型や、ブラインドシャッタ−型などが有る。
【考案の開示】
【考案が解決しようとする課題】
【０００３】  寒い地方では、窓ガラスの結露防止と室内の断熱の目的で、雨戸を閉めている為、室内が暗くなり不便である。また、プライバシ−の保護や、防音、防犯の為に、雨戸を閉めている所も同様である。
【課題を解決するための手段】
【０００４】  そこで、多く使用されている、引違い窓用金属製雨戸に窓を取り付ける事として、請求項１を考案した。その特徴は、雨戸の強度と防犯、また飛散物からの被害等を、考慮して窓を小さな物として、弾力性の有るカラ−アクリル板を、ゴムパッキンで、金属製雨戸に固定するののである（図１）。また、室内へ入る明かりの量は、請求項１の雨戸用小窓の数で調整できる（写真１）。【０００５】  また、室内の換気を考慮して、請求項２を考案した。その特徴は、雨戸用小窓と同型の開口とし、スライドカバ−で、アクリル板をスライドさせる事で、窓が開閉できるものである（図２）。また、アクリル板の保護の為、開口部にはゴムパッキンを取付けた。
【考案の効果】
【０００６】  よって、本考案の雨戸用小窓により窓ガラスの結露防止や、室内の断熱、プライバシ−の保護、防音、防犯のために、雨戸を閉めていても、室内に光が入り明るくなった。それに、カラ−アクリル板を使用した事により、昼は太陽の光が室内へ、夜は部屋の明かりが外へと、色々な光を放って、ステンドガラスの窓のようになった（写真２）。【０００７】  また、雨戸を閉めていても、換気用小窓を開ける事により、安心して窓ガラスを開けて換気できるようになり、防犯にも役立った。
【考案を実施するための最良の形態】
【０００８】  本考案は、雨戸の形態を特定していないため、雨戸用小窓および換気用小窓の、寸法、形、数は、定めていない。また、アクリル板の色や配列は、使用者の好みで色々なパタ−ンを楽しむ事ができる。
【図面の簡単な説明】
【０００９】
【図１】  本考案の雨戸用小窓の正面図と断面図（Ａ−Ａ’）である。
【写真１】
本考案の試作品を取付けた雨戸の、外からの写真である。
【写真２】
本考案の試作品を取付けた雨戸の、室内からの写真である。
【図２】
雨戸用小窓のアクリル板を、可動式にした換気用小窓の、正面図と断面図（Ｂ−Ｂ’）（Ｃ−Ｃ’）である。
【符号の説明】
【００１０】        １      アクリル板（はめ込み型）
２      ゴムパッキン（はめ込み用）
１０      雨戸用小窓
２０      金属製雨戸
３０      換気用小窓
３      アクリル板（スライド型）
４      ゴムパッキン（スライド型カバ−用）
５      ゴムパッキン（スライド型雨戸用）
６      スライドカバ−
７      スライドカバ−取付け金物
８      取っ手
【図１】
0003113996.tif 000003
【図２】
0003113996.tif 000004
0003113996.tif 000005
0003113996.tif 000006
【手続補正書】
【提出日】平成17年5月12日(2005.5.12)
【手続補正１】
【補正対象書類名】実用新案登録請求の範囲
【補正対象項目名】請求項２
【補正方法】変更
【補正の内容】
【請求項２】
金属製雨戸に取付ける、カラ−アクリル板を使用した小窓が、開閉できる、換気用小窓。
【手続補正２】
【補正対象書類名】明細書
【補正対象項目名】０００９
【補正方法】変更
【補正の内容】
【０００９】
【図１】        本考案の雨戸用小窓の正面図と断面図（Ａ−Ａ’）である。
【図２】        雨戸用小窓のアクリル板を、可動式にした換気用小窓の、正面図と断面図（Ｂ−Ｂ’）（Ｃ−Ｃ’）である。
【図３】
【写真１】    本考案の試作品を取付けた雨戸の、外からの写真である。
【写真２】    本考案の試作品を取付けた雨戸の、室内からの写真である。
【手続補正３】
【補正対象書類名】図面
【補正対象項目名】全図
【補正方法】変更
【補正の内容】
【図１】
0003113996.tif 000007
【図２】
0003113996.tif 000008
【図３】
0003113996.tif 000009
(57)【要約】      （修正有）【課題】手指の把持機能の回復や、腕の筋肉などを鍛える運動が楽しくできる健康器具の提供。【解決手段】上方を開放した断面Ｕ字型の容器４，５の一対を、長さ寸法を１０ｃｍ〜１５ｃｍ程度となした把手６を介し、上記各容器の開放側が逆向きとなる対称関係に取付けたものとなし、別に上記容器へ出し入れさせるための飛び玉３とを組合せる。【選択図】図１
0003113965.tif 000002
【実用新案登録請求の範囲】
【請求項１】
上方を開放した断面Ｕ字型の容器の一対を、長さ寸法を１０ｃｍ〜１５ｃｍ程度となした把手を介し、上記各容器の開放側が逆向きとなる対称関係に取付けたものとなし、別に上記容器へ出し入れさせるための飛び玉とを組合せたことを特徴とする健康器具。
【請求項２】
容器は金属製或いはプラスチック製で、直径８ｃｍ〜１５ｃｍ程度の円形となしたことを特徴とする請求項１記載の健康器具。
【請求項３】
一対の各容器に於ける直径寸法を異ならしめたことを特徴とする請求項１記載の健康器具。
【請求項４】
一対の各容器を着色し、白と赤の如く夫々れ異ならしめてあることを特徴とする請求項１、２又は３記載の健康器具。
【考案の詳細な説明】
【技術分野】
【０００１】
本考案は、お手玉を利用した健康器具に関するものである。
【背景技術】
【０００２】
従来から、肩こりの防止、二の腕の贅肉とり等のために腕や肩の筋肉を鍛えるダンベル（特許文献１参照）を使った運動がなされている。
しかし、ダンベルの上げ下げの運動は退屈で長続きしないという問題がある。
【特許文献１】特開平９−１９２２５７
【考案の開示】
【考案が解決しようとする課題】
【０００３】
そこで、本考案は、係る問題点を解決すべく、手指の把持機能の回復や、腕の筋肉などを鍛える運動が楽しくできる健康器具の提供を目的とするものである。
【課題を解決するための手段】
【０００４】
本考案に係る健康器具は、上方を開放した断面Ｕ字型の容器の一対を、長さ寸法を１０ｃｍ〜１５ｃｍ程度となした把手を介し、上記各容器の開放側が逆向きとなる対称関係に取付けたものとなし、別に上記容器へ出し入れさせるための飛び玉とを組合せたことを特徴とする。この際、容器は金属製或いはプラスチック製で、直径８ｃｍ〜１５ｃｍ程度の円形となしたり、一対の各容器に於ける直径寸法を異ならしめたりする。また、一対の各容器を着色し、白と赤の如く夫々れ異ならしめたりする。
【考案の効果】
【０００５】
本考案は以上の通り構成するものであって、健康器具の使用方法は、飛び玉を一方の容器に入れておき、中に入っている飛び玉を上へ飛ばすように健康器具を上へ動かし、飛び玉が飛んでいる間に、手首を返して、容器の向きを替え、もう一方の容器で飛び玉を受けるのである。これらの運動では先ず以て把手を手指でしっかりと把持する必要があり、手指の把持力が衰えた老人などでは、手指の把持機能の向上が図れるものとなる。また上記動作は遊び感覚ですることができ、これらを繰り返すことにより、腕や肩などの筋肉を動かす運動になり、肩こりを防止したり、二の腕の贅肉取りの効果がある。さらに、これらの運動には集中力も必要とし、繰り返すことにより、ボケ防止や機能回復にも役立つのである。
【０００６】
請求項３に記載された健康器具の様に、一対の容器に交互に飛び玉を受けるのに容器の大きさが異なることは、大小の判断機能も同時に必要とするため、ボケ防止の機能回復により大きな効果をもたらせることができるものとなる。また、請求項４に記載された健康器具の様に、一対の各容器のうち一方を白色に、他方を赤色に着色しておけば、飛び玉が赤色容器や白色容器に入る面白さがあり、本人は勿論のこと周囲を楽しみさせながらすることができるものである。
【考案を実施するための最良の形態】
【０００７】
以下、図面に示す実施の形態について説明する。
図１は本考案に係る健康器具の平面図で、図２は図１のＡ−Ａ線断面図で、図３は使用方法の説明図である。本考案に係る健康器具１は、容器部２と飛び玉３からなる。
【０００８】
容器部２は、金属或いはプラスチック製で、上方を開放した断面U字型の容器の一対と、把手からなり、一対の各容器４、５の大きさは、直径Ｒが８ｃｍ〜１５ｃｍ程度の円形であって、各容器４、５は開放側が逆向きとなる対称関係になしてある。
【０００９】
把手６は、長さ寸法Ｌが１０ｃｍ〜１５ｃｍであって、把手６の両端は各容器４、５の側部に取付けられている。即ち、把手６は左右端縁部をＬ形に形成された取付け部材７及び８を備え、該取付け部材７、８を介して各容器４、５の側面と止めネジ或いはボンドなど適宜な接着手段を使用して一体的に固定してなる。
【００１０】
飛び玉３は色々と考えられるが、専ら布製の袋に豆や小さな玉などを入れたお手玉などを使用することが好ましい。
【００１１】
次に使用方法について説明する。始めに飛び玉として本例ではお手玉３を片方の容器に入れておく。（図面は容器４に入れたものを示す。）そして、中に入っているお手玉３を上へ飛ばすように容器部２を上へ動かす（図３参照）。お手玉３が飛んでいる間に、手首を返して、容器部２の向きを替え、容器５の開口部が上へ向くようにして、容器５でお手玉３を受ける。次に、容器５の中に入っているお手玉３を上へ飛ばすように容器部２を上へ動かす。お手玉３が飛んでいる間に、手首を返して、容器部２の向きを替え、容器４の開口部が上へ向くようにして、容器４でお手玉３を受ける。以上を繰り返し行う。
【００１２】
これらの運動では先ず以て把手を手指でしっかりと把持する必要があり、手指の把持力が衰えた老人などでは、手指の把持機能の向上が図れるものとなる。また、これらの運動を繰り返すことにより、腕や肩などの筋肉を動かす運動になり、肩こりを防止したり、二の腕の贅肉取りの効果がある。さらに、これらの運動には集中力も必要とし、繰り返すことにより、ぼけ防止や機能回復にも役立つのである。
【００１３】
図４は本考案に係る健康器具の他の例を示す斜視図である。本例では、一対の容器２’及び３’の直径寸法を異ならしめている。この様に、一対の容器に交互に飛び玉を受けるのに容器の大きさが異なることは、大小の判断機能も同時に必要とするため、ボケ防止の機能回復により大きな効果をもたらせることができるものとなる。
【００１４】
なお、一対の各容器のうち一方を白色に、他方を赤色などに着色したり、又飛び玉３にも適宜着色したりするのであり、これにより交互に色つき飛び玉が赤色容器や白色容器に入る面白さがあり、本人は勿論のこと周囲を楽しみさせながらすることができるものである。
【図面の簡単な説明】
【００１５】
【図１】本考案に係る健康器具の平面図である。
【図２】図１のＡ−Ａ線断面図である。
【図３】使用方法の説明図である。
【図４】本考案に係る健康器具の他の例の斜視図である。
【符号の説明】
【００１６】
１、１’    健康器具
２、２’    容器部
３    飛び玉
４、５、４’、５’  容器
６    把手
７、８    取付け部材
【図１】
0003113965.tif 000003
【図２】
0003113965.tif 000004
【図３】
0003113965.tif 000005
【図４】
0003113965.tif 000006
(57)【要約】【課題】  自転車や自動二輪等の二輪車の後部荷台に装着した荷篭を簡易な操作で迅速容易に折畳み可能に形成して出勤その他で混雑している駐輪場その他における荷篭の使用、不使用の組立て又は折畳み操作を簡易にできるようにする。【解決手段】  二輪車の後部荷台１に装着された格子状棧枠等からなる台枠板３の前後縁部に両側に一体に側片４′・５′を折曲形成した側枠板４・５を対向して起伏自在に設け、側枠板４・５の起立時には荷篭６を形成し、倒伏時には即片４′・５′を荷台１の両側下方に位置するように荷篭６を折畳み自在に構成する。【選択図】  図１
0003113968.tif 000002
【実用新案登録請求の範囲】
【請求項１】
荷台に装着できる台枠板の前後縁に両側に折曲側片を有する断面コ型の側枠板を対向して台枠板に起伏可能に設け、側枠板の起立時には台枠板の周囲を囲んで荷篭を形成すると共に側枠板の倒伏時には側枠板の各側片を台枠板の下側位置に垂下保持するように形成したことを特徴とする二輪車の折畳み荷篭。
【請求項２】
対向する側枠板の両側片端部を重合状態に形成したことを特徴とする請求項１記載の二輪車の折畳み荷篭。
【考案の詳細な説明】
【技術分野】
【０００１】
本考案は、自転車、自動二輪等の二輪車の後部荷台に取付ける折畳み荷篭の改良に関するものである。
【背景技術】
【０００２】
自転車、自動二輪等の二輪車の後部荷上に荷篭を装着して荷物を荷篭内に収納できると共に荷篭の不使用時又は荷篭に収納することができない荷物にも対応できるように荷篭を折畳み自在に形成することは知られている。
【特許文献１】特開昭６０−２４４６８１号公報                  特開２００３‐８１１５６号公報                  実開昭５９‐６００８３号公報                  実開平１‐９４１９１号公報
【考案の開示】
【考案が解決しようとする課題】
【０００３】
しかしながら、従来の方式は、荷篭を形成する各側枠板を個別毎に折畳んだり、その折畳み機構が複雑であったりしてその折畳み又は組立て操作が煩雑であるため、例えば出勤時等の混雑している駐輪場等においてこれらの操作を迅速容易に行なうことができない問題点があった。
【０００４】
本考案はこのような現状に鑑み、荷台上の荷篭の折畳み及び組立て操作を迅速容易に行なえるようにした二輪車の折畳み荷篭を提供することを目的とするものである。
【課題を解決するための手段】
【０００５】
本考案は前記目的を達成するために、荷台に装着できる台枠板の前後縁に両側に折曲側片を有する断面コ型の側枠板を対向して台枠板に起伏可能に設け、側枠板の起立時には台枠板の周囲を囲んで荷篭を形成すると共に側枠板の倒伏時には側枠板の各側片を台枠板の下側位置に垂下保持するように形成したことを特徴とするものであり、前記台枠板、側片を有する側枠板としては格子状、網状、多孔板条、平板状等で形成することができると共に、特に一方の側枠板の側片間の幅を対向する他方の側枠板の側片間の幅より大きく形成して側枠板の折畳み時に側片同士重合するように形成し、側枠板の起伏時に他方の枠側板の側片と衝接しないようにするのが好ましい。
【考案の効果】
【０００６】
本考案は荷篭を構成する前後に対向する側枠板だけを台枠板上に倒伏する簡易な操作だけで荷篭を折畳むことができ、荷篭が駐輪場等で邪魔になることを防止できると共に同時に側枠板の両側に一体形成した側片は荷台両側下方に位置してスカート等の衣類が巻込まれることも防止することができ、またこのように折畳んだ荷篭の組立て操作は対向している側枠板を起立させる操作だけで直ちに荷篭を形成することができるので、簡易な構成で出勤時等の混雑している駐輪場その他において荷篭の折畳み又は組立て操作を簡易迅速に行うことがきる。
【０００７】
また対向する側枠板の両側片端部を重合状態に形成したときには台枠板の周囲を確実に囲撓して荷篭の形成及びその強度の保持を確実にすると共に折畳み、組立作用も円滑に行うことができる。
【考案を実施するための最良の形態】
【０００８】
本考案の実施の形態を図面の実施例について説明すると、自転車の後部荷台１には止め具２によって荷台１より、幅、長さの大きい格子状棧枠よりなる台枠板３が取付けられ、該台枠板３の前後縁部には対向して同じく格子状棧枠の側枠板４・５が内方に起伏自在に設けられると共に該側枠板４・５の両側には一体に格子状側片４′・４′、５′・５′が折曲形成され、台枠板３、側片４′・４′を有する側枠板４及び側片５′・５′を有する側枠板５によって荷篭６を形成するように構成されている。
【０００９】
しかして前記側片４′・４′間の幅は側片５・５′間の幅より僅かに狭く形成され、側枠板４・５を台枠板３上に倒伏した場合側片４′・４′と側片５・５′の端部が衝接せず摺接状に重合するように形成されている。なお図中７は側枠板４・５を起立位置に保持するストッパーである。
【００１０】
本考案の実施例は上記のように構成されているので、台枠板３を止め具２で自転車の後部荷台１上に装着し、側枠板４・５を起立保持すると荷篭６が形成されるので、荷物をその内部に収納するものであり、荷篭６の不使用時又は自転車を駐輪場特に二段式駐輪場等に駐輪するときは、対向する側枠板４・５を起立位置から内方に倒伏して台枠板３上に重合すると、側片４′・４′、側片５′・５′は回動して台枠板３の両側下方に垂下位置に保持されて後部車輪の両側に位置するように折畳まれた状態になる。
【００１１】
従って荷篭６の不使用時又は駐輪場に駐車する場合或は荷篭６内に収納できない大きい荷物を荷台１に直接載置縛着する場合には、荷篭６を折畳むことによって容易に対応することができ、また通常の如く荷篭６の内部に荷物を収納するときは、側枠板４・５を起立保持して迅速に荷篭を形成するように使い分けることができる。
【図面の簡単な説明】
【００１２】
【図１】本考案の組立時の斜面図。
【図２】同平面図。
【図３】同側面図。
【図４】同荷台装着時の平面図。
【図５】同折畳み時の側面図。
【符号の説明】
【００１３】
１    荷台
３    台枠板
４    側枠板
４′  側片
５    側枠板
５′  側片
６    荷篭
【図１】
0003113968.tif 000003
【図２】
0003113968.tif 000004
【図３】
0003113968.tif 000005
【図４】
0003113968.tif 000006
【図５】
0003113968.tif 000007
(57)【要約】      （修正有）【課題】食用油・液体調味料を入れるボトル及び、洗剤等の粘着性のある液体容器の液だれを防ぐ。【解決手段】食用油等の液だれが流れ落ちるのを窪みポケットを設ける事により途中で止め、その処理を簡単に行なえる様にした。液だれをボトル自身のデザインで解決するものである。【選択図】図１
0003113753.tif 000002
【実用新案登録請求の範囲】
【請求項１】
外側面に、上向開口する受け皿状のポケットを設けてなる食品・洗剤用液だれ防止ボトル。
【考案の詳細な説明】
【技術分野】
【０００１】  本考案は、液体調味料、食用油その他液体洗剤等の液体入れプラスチックボトルの使用後の液だれを防止するものである。
【背景技術】
【０００２】  食用油、液体調味料の使用後、テーブル・棚等の面を駅だれにより汚した。
又、汚れ防止の皿などを下に敷きその為に移動や手入れの手間がかかり過ぎていた。
【考案が解決しようとする課題】
【０００３】  液だれのこびり付き等の掃除が大変である。又、汚れにより美観を損なう事を無くする。下に皿等を敷いて使用した場合も大変、不安定である。
したがって本考案は、簡単に掃除・手入れが可能になるボトルを提供することにある。
【課題を解決する為の手段】
【０００４】  食用油、液体調味料を入れるペットボトル使用時、たれた液体の流れ落ちる道筋にそれを受け止める為の窪み、ポッケトを付け、液体が底に流れ落ちないようにする。また、輪状の受け皿ポッケトをボトルに取り付けそれを一体化させる。
その部分で使用後の流れ落ちる液だれを受け止める。
液だれをボトル自身のデザインで解決する。
【考案の効果】
【０００５】  従来のボトルを使って料理などをする時は、液だれが底まで達し、料理後の後片付けの時には液体が乾いて固まりこびり付きとなっていた。
本考案ボトルでは、液体受けリング、又は窪みポッケトで液だれを受け止める事が可能であるので時間が経過してもペーパーや布等で簡単に拭きとる事が出来る。したがって大幅な手間と時間の節約となる。
【考案を実施する為の最良の形態】
【０００６】  本考案は、現ボトルのわずかなデザイン変更により液だれを防ぎ清潔で快適な食事及びその準備を行えるものである。
台所仕事のストレス軽減となる。
【実施例】
【０００７】  添付図面に従って一実施例を説明する。
図１に示すボトルでは、窪みポケットで流れ落ちる液だれを受け止める。
溜まった液体をペーパー及び布等で拭き取り処理が出来る。【０００８】  図２に示すボトルでは、４の底部で液だれを受け止めるものである。
拭き取り、洗浄も簡単である。【０００９】  図３に示すボトルでは、では持ち手の付いていないボトル等、どの方向からの液だれにも、３の部分で対応するものである。【００１０】  本考案は、洗剤・化学薬品等のあらゆる粘着性のある液体の容器に有効であり清潔と同時に安全性も兼ね備えている。
【図面の簡単な説明】
【００１１】
【図１】    本考案の一実施例を示す断面図である。
【図２】    本考案の他の実施例を示す断面図である。
【図３】    本考案の更に他の実施例を示す断面図である。
【符号の説明】
【００１２】      １  本体
２  ふた
３  液体受けポケット
【図１】
0003113753.tif 000003
【図２】
0003113753.tif 000004
【図３】
0003113753.tif 000005
(57)【要約】      （修正有）【課題】三味線演奏時の本体位置の安定と力的な保持バランスの安定性確保を提供する。【解決手段】ストラップ金具を三味線に嵌め込む事で、従来の２点支えを１点支えにし、三味線本体が上下、前後、左右に不安定に動くのを制御できました。不安定だった力配分＜三味線本体の保持と演奏動作との腕力配分＞も安定しました。動き、歩き、移動しながら的確な演奏動作を継続する事が容易になりました。【選択図】図１
0003113755.tif 000002
【実用新案登録請求の範囲】
【請求項１】
三味線は無理なく、簡単に解体、組み立ての出来る楽器です。この点を考慮し、三味線本体に考案したステンレス製（ＳＵＳ  ３０４  厚み１ｍｍ  黒色焼き付け塗装）の金具を嵌め、組み込む事を特徴とする三味線ストラップ。
【考案の詳細な説明】
【技術分野】
【０００１】  この考案は、三味線演奏時に使用するストラップの形状と取り付け方に関するものである。
【背景技術】
【０００２】  従来のストラップはギター形式で図４に示す様に、三味線の上駒部と中子先を結んでストラップとしています。ギター形式では三味線本体が上下、前後、左右に動き、的確な演奏動作＜弦押さえ、左手指の移動、撥捌き、など＞に支障がありました。加えて、我が県の有名な祭り“阿波踊り”では立ち、動き、歩き移動しながらの演奏には不都合でした。
【考案の開示】
【考案が解決しようとする課題】
【０００３】この考案は、本来の三味線の演奏の構えは、正座位で胴部が右膝の上にあり右腕で三味線を支えます。立ち姿での演奏も同じ位置に固定しなければ演奏には不都合で、従来のギター形式のストラップで不都合だった三味線本体の保持と演奏時の安定性確保提供することを課題とする。
【課題を解決するための手段】
【０００４】  以上の課題を解決するために、考案は、三味線の形状を考慮した図１のＢ  ａｂ  Ｃｃに示す曲線をここの三味線形状に会わせて簡単に調節出来る金具を図２の様に三味線の棹部と胴部の間に嵌め込むことを特徴とするストラップである。
【考案の効果】
【０００５】  考案の金具を胴部と棹部の接点に嵌め込む事によって、１点で三味線を支持する為にギター形式の２点支持方法では得られなかった三味線本体の保持と演奏時の安定性を可能にし、動きの激しい“阿波踊り”の演奏も容易になります。
【考案を実施するための最良の形態】
【０００６】  この考案の実施形態を  図３に示す。
考案金具を胴から抜いた棹の先から鳩胸まで通して嵌め込み胴部に差し込んで組み立てます。胴部と鳩胸の間に出ている金具の穴にフックでストラップ紐を接続して、演奏者に最適の位置なるように紐の長さを設定します。【０００７】「実施形態の効果」
この実施形態によれば、三味線を一点で支えるので演奏位置が安定でき、特に左手と左手指の移動、及び右手の撥捌きが楽で、三味線の構え、立ち姿が正しく維持できるので、動きながらの演奏も無理なくできます。【０００７】「実施形態の効果」
この実施形態によれば、三味線を一点で支えるので演奏位置が安定でき、特に左手と左手指の移動、及び右手の撥捌きが楽で、三味線の構え、立ち姿が正しく維持できるので、動きながらの演奏も無理なくできます。【０００８】「他の実施形態」
図３の実施形態では、三味線でしたが、他の実施形態では、類似型で、組み立て可能で金具は楽器の形状により多少異なるが、嵌め込む事が出来る楽器にも使用可能です。金具の素材は強度を満たすならステンレス以外でもよい。
【図面の簡単な説明】
【０００９】
【図１】考案した金具の形態を示す投影図である。
【図２】考案した金具の嵌め込みを示す透視図である。
【図３】考案の実施形態を示す図である。
【図４】従来技術を示す図である。
【図５】三味線の構造名称を示す正面図と側面図
【符号の説明】
【００１０】Ａ      正面図
Ｂ      側面図
Ｃ      平面図
Ｄ      三味線胴部
Ｈ      三味線部分  鳩胸
Ｋ      考案金具
Ｎ      三味線部分  中子
Ｓ      三味線棹部
ＫＳ    考案ストラップ
ＧＳ    ギター形式ストラップ
ａ、ｂ、ｃ、考案金具の曲線部分ポイントを示す
【図１】
0003113755.tif 000003
【図２】
0003113755.tif 000004
【図３】
0003113755.tif 000005
【図４】
0003113755.tif 000006
【図５】
0003113755.tif 000007
【手続補正書】
【提出日】平成17年6月1日(2005.6.1)
【手続補正１】
【補正対象書類名】実用新案登録請求の範囲
【補正対象項目名】全文
【補正方法】変更
【補正の内容】
【実用新案登録請求の範囲】
【請求項１】
ＳＵＳ３０４  厚み１ｍｍ黒色焼き付け塗装を施したステンレス製金具にストラップ紐を接続して使用する三味線ストラップで、このストラップの金具部分を三味線の胴部と棹部の間に嵌め組み込む事を特徴とする三味線ストラップ。
(57)【要約】      （修正有）【課題】パンティストッキングを履いて、靴を履くと足先部分が蒸れて臭ったり、不快だったまた真夏においては大量の汗で靴が濡れてしまった。【解決手段】汗取りシートを活用するため、パンティストッキングの足裏の中央より少し前に開口部が目立たないよう、重なり合う、靴側１−ａと足裏側１−ｂを設け、パンティストッキングを脱がずに汗取りシートなどを簡単に交換できる開口部を設けまた大量の汗をかいてしまう時のために、１−ａと２の部分に上からもう一枚ストッキング素材を重ねポケット状にして、そこにも汗とりシートを入れられるようにした事により臭いになる前に除去し、靴の中をいつも快適、清潔に保つ。【選択図】図１
0003113751.tif 000002
【実用新案登録請求の範囲】
【請求項１】
パンティストッキングの足裏部分中央より少し前方に、開口部分を目立たさないために、重なり合うようを設け、汗取りシートなどを簡単に出し入れできることを特徴とする。
【請求項２】
真夏などで足裏に大量に汗をかいてしまい靴が濡れてしまうのを解消する為また、請求項１だけでは足の臭いや蒸れが心配な時のため請求項１の足先部分のみの外側にもう一枚ストッキング生地を重ねポケット状のものを設け、そこにも汗取りシートを設置できることを特徴とする。
【考案の詳細な説明】
【技術分野】
【０００１】  この考案は、パンティストッキングの、足裏の形状構成に関する。
【背景技術】
【０００２】  従来、パンティストッキングの形状構成は図２に示すような形状構成で、全てナイロンまたはポリエステル等素材で構成されている。
【考案の開示】
【考案が解決しようとする課題】
【０００３】しかしながら、以上の技術によれば、ナイロンやポリエステル等の素材は、汗の水分のみは早く乾燥してくれるが、足にかいた汗に含まれる水分以外の成分を吸収乾燥する事はなく、水分以外はそのままナイロンやポリエステルの表面や足の指先に残り、そこに足の細菌が働きかけ雑菌が増え、臭いの原因になってしまう。現在ナイロンやポリエステルが多く含まれた靴下などがあるが、綿１００％の靴下を履いた時より臭いが強くなるのもその為だと思われる。
そこでこの考案は、ナイロンやポリエステル素材等で構成されている、パンティストッキングを着用した足裏にかいた汗を、汗取りシートを使用する事により、臭いになる前に除去し靴の中をいつも快適・清潔に保つことを課題とする。
【課題を解決するための手段】
【０００４】  以上の課題を解決するために、第一考案はパンティストッキングの足裏中央より少し前方に開口部を目立たせないために、重なり合うよう設け、パンティストッキングを脱がずに足裏の汗取りシートなどを、簡単に交換出来るパンティストッキングを提供する。  第二考案は、真夏など足裏に大量の汗をかいてしまう時のため、第一考案だけでは汗を吸い取りきれないときの為に、足裏の第一考案による切れ目より前方部分（指先の方）にもう一枚ストッキング生地を重ねポケット状にして、そこにも汗とりシートなどを入れられるパンティストッキングを提供する。
【考案の効果】
【０００５】  第一考案により、足裏に汗をかいて不快な時点で汗取りシートを交換出来るため、足の臭いや蒸れからも解放される。また第二考案により大量の汗をかいてしまう真夏などで、なかなか第一考案のシートを交換できないときも安心していられる。また第一考案部分に入れるシートと第二考案部分に入れるシートの間にストッキングのナイロン・ポリエステル等の生地があることで、シートを２枚重ねていれるより汗を早く乾かしてくれる。
【考案を実施するための最良の形態】
【０００６】  この考案の一実施形態を、図１に示す、ストッキングは既存のもので、その足裏真中より少し前に重なり合う、靴側１−ａ  と足裏側１−ｂからなる開口部を設け。その１−ａと２の部分には、さらにストッキング素材を上から重ね、ポケット状とし、そこにも汗取りシートなどが入るような作りになっている。【０００７】「実施形態の効果」
この実施形態によれば、ストッキングを履いて靴を履いた時の、足の蒸れによる臭いや不快感を汗取りシートなどで解消でき、またポケットを付けたことにより真夏で大量の汗をかいたときも効果を期待できる。【０００８】「他の実施形態」
図１の実施形態では、ポケットは足指先１−ａと２の部分であったが、それは足指先が一番汗をかきやすく臭うためだからであって、そのポケットをかかとの方にもつけても良いとする。
【図面の簡単な説明】
【０００９】
【図１】この考案の一実施形態を示す足先横図である
【図１−１】足裏からの図
【図２】従来技術を示す図である。
【符号の説明】
【００１０】１パンティストッキング本体      １−ａ開口部の重なる部分靴側
１−ｂ開口部の重なる部分足裏側
２ストッキング生地の重ねたポケット部分
【図１】
0003113751.tif 000003
【図１−１】
0003113751.tif 000004
【図２】
0003113751.tif 000005
【手続補正書】
【提出日】平成17年6月2日(2005.6.2)
【手続補正１】
【補正対象書類名】実用新案登録請求の範囲
【補正対象項目名】全文
【補正方法】変更
【補正の内容】
【実用新案登録請求の範囲】
【請求項１】
パンティーストッキングの足裏部分の生地が、土踏まずからやや指先寄りの位置で横方向に切れて開口部が設けられているとともに、その構造は単に布が切れているのではなく、指先から開口部までのストッキング生地が、かかとから開口部までのストッキング生地の上に重なるようになっていて、指先側に向かってちょうどポケット状の構造になっていることを特徴とするパンティーストッキング。
【請求項２】
請求項１に記載のパンティーストッキングの足裏部分の構造に関して、指先から開口部までのストッキング生地の表面（外側）に、同一素材で同じ大きさのストッキング生地をもう一枚重ねるようにして取り付け、同様に開口部を設けておくことにより、請求項１の開口部のポケット状構造に加え、その表面（外側）にももう一つポケット状構造を備えたことを特徴とする請求項１のパンティーストッキング。
(57)【要約】【課題】  一つの電球に二つのフィラメントを設け、切り替える機能を備えることにより、いままでに無い長持ちを実現した切り替えフィラメント式電球を提供する。【解決手段】  電球の中に二つのフィラメントを設け、一つを内部導入線に直接的につなぎ、もう一つのフィラメントを切り替えスイッチで電流が流れるように間接的に内部導入線につないで、二つ目のフィラメントには耐熱カバーをあらかじめ被せておき、一つ目のフィラメントが切れてしまった時に、ワイヤ巻取りネジを回して耐熱カバーをはずし、切替えスイッチをいれることを特徴とする切り替えフィラメント式電球。【選択図】  図１
0003113758.tif 000002
【実用新案登録請求の範囲】
【請求項１】
電球の中に二つのフィラメントを設け、一つを内部導入線に直接的につなぎ、もう一つのフィラメントを切り替えスイッチで電流が流れるように間接的に内部導入線につないで、二つ目のフィラメントには耐熱カバーをあらかじめ被せておき、一つ目のフィラメントが切れてしまった時に、ワイヤ巻取りネジを回して耐熱カバーをはずし、切り替えスイッチをいれることを特徴とする切り替えフィラメント式電球である。
【考案の詳細な説明】
【技術分野】
【０００１】  本考案は、一つの電球に二つのフィラメントを設け、切り替える機能を備えることにより、いままでに無い長持ちを実現した切り替えフィラメント式電球に関するものである。
【背景技術】
【０００２】  従来、電球を長持ちさせるために、様々な材料をフィラメントに使用したり、電球内を真空状態にしたり不活性ガスを満たすなどの工夫が凝らされてきた。。
【考案の開示】
【考案が解決しようとする課題】
【０００３】  そのために、次のような問題点があった。
今までの電球は、一つのフィラメントしか設けていないために、様々な材料をフィラメントに使用したり、不活性ガスを入れるなどの工夫を施したりしても、そのフィラメントが切れれば、その電球自体を交換するしかなかった。
本考案は、以上の問題点を解決するためになされたものである。
【課題を解決するための手段】
【０００４】  電球の中に二つのフィラメントを設けて、一つを内部導入線に直接的につなぎ、もう一つのフィラメントを切り替えスイッチで電流が流れるように間接的に内部導入線につなぐ。二つ目のフィラメントには耐熱カバーをあらかじめ被せておき、一つ目のフィラメントが切れてしまった時に、ワイヤ巻取りネジを回して耐熱カバーをはずし、切り替えスイッチをいれる。以上のことを特徴とする切り替えフィラメント式電球である。
【考案の効果】
【０００５】  一つ月のフィラメントが切れてしまっても、切り替えスイッチで二つ目のフィラメントを使うことができるということから、電球自体の寿命を長くすることができるので、交換する手間が少なくなり、経済的にも良くすることができる。
【考案を実施するための最良の形態】
【０００６】  以下、本考案の実施の形態に説明する。
（イ）ステーム（１）に４本の内部導入線（２）を設け、フィラメントＡ（３）と耐熱カバー付きフィラメントＢ（４）を取り付ける。
（ロ）無空棒（５）にアンカー（６）を２本設けて、２つのフィラメントを固定する。
（ハ）口金（７）の淵の部分に切り替えスイッチ（８）を設け、導線（９）をつないで、耐熱カバー付きフィラメントＢ（４）を設けた方の内部導入線（２）に接続する。その切り替えスイッチ（８）の設けた場所の近くに、ワイヤ巻取りネジ（１０）を設けて内部からパッキン（１１）で栓をする。
（ハ）ワイヤ（１２）をワイヤ巻取りネジ（１０）に少し巻きつけて、あらかじめ開けておいたアンカー板（１３）の穴に通し、耐熱カバー（１４）に取り付ける。
本案は以上のような構造でこれを使用するときは、フィラメントＡ（３）が切れたとき、まず電球自体をはずして、ワイヤ巻取りネジ（１０）を回して耐熱カバー付きフィラメントＢ（４）から耐熱カバー（１４）をはずし、切り替えスイッチ（８）をいれて電球を取り付ける。
【図面の簡単な説明】
【０００７】
【図１】本考案の斜視図
【図２】本考案の部分拡大図及び部分断面図（１）
【図３】本考案の部分拡大図及び部分断面図（２）
【図４】本考案の使用状態を表す斜視図
【符号の説明】
【０００８】１    ステーム
２    内部導入線
３    フィラメントＡ
４    耐熱カバー付きフィラメントＢ
５    無空棒
６    アンカー
７    口金
８    切り替えスイッチ
９    導線
１０  ワイヤ巻取りネジ
１１  パッキン
１２  ワイヤ
１３  アンカー板
１４  耐熱カバー
【図１】
0003113758.tif 000003
【図２】
0003113758.tif 000004
【図３】
0003113758.tif 000005
【図４】
0003113758.tif 000006
(57)【要約】      （修正有）【課題】ヒノキの香りを長期に持続させることができるリビングダイニングセットを提供すること。【解決手段】リビングダイニングセットの下面にヒノキのチップ又はスライス片４を収納したヒノキ収納容器１を設けた。ヒノキ収納容器１は、その少なくとも一面を多孔質板によって形成し、ヒノキ収納容器１には、ヒノキのチップ又はスライス片を出し入れするための開口部と、この開口部を閉止するための開閉可能な蓋と設ける。【選択図】図２
0003113709.tif 000002
【実用新案登録請求の範囲】
【請求項１】
ヒノキのチップ又はスライス片を収納したヒノキ収納容器を下面に備えたリビングダイニングセットであって、
ヒノキ収納容器は、その少なくとも一面が多孔質板によって形成されると共に、ヒノキのチップ又はスライス片を出し入れするための開口部と、この開口部を閉止するための開閉可能な蓋とを有するリビングダイニングセット。
【請求項２】
ヒノキ収納容器がリビングダイニングセットの下面に着脱可能に設けられている請求項１に記載のリビングダイニングセット。
【請求項３】
ヒノキ収納容器に収納されるヒノキのチップ又はスライス片にヒノキオイルを含浸させている請求項１又は２に記載のリビングダイニングセット。
【請求項４】
リビングダイニングセットが、椅子、テーブル及びソファーのうちのいずれか一種又はその組合せからなるものである請求項１〜３のいずれかに記載のリビングダイニングセット。
【考案の詳細な説明】
【技術分野】
【０００１】
本考案は、椅子、テーブル、ソファー等からなるリビングダイニングセットに関し、とくに、ヒノキの香りを放つようにしたリビングダイニングセットに関する。
【背景技術】
【０００２】
ヒノキは、その香りによる爽快感やヒーリング効果あるいは殺菌作用があるなどの理由により、家具、建材等として利用されている。
【０００３】
ところが、ヒノキによってリビングダイニングセット等の家具を製作したとしても、その香りが長続きしないという問題があった。
【０００４】
これに対して、特許文献１には、容器と、この容器の一部に形成した区画室とを有し、区画室内にヒノキのチップを収納した芳香装置が開示されている。しかし、この芳香装置は、その容器部分を利用して、それ自体で収納箱、プランター容器、鏡台等として用いるもので、椅子、テーブル、ソファー等のリビングダイニングセットに適用することはできない。
【特許文献１】特開２００１−２２４６７４号公報
【考案の開示】
【考案が解決しようとする課題】
【０００５】
本考案が解決しようとする課題は、ヒノキの香りを長期に持続させることができるリビングダイニングセットを提供することにある。
【課題を解決するための手段】
【０００６】
上記課題を解決するために、本考案のリビングダイニングセットは、ヒノキのチップ又はスライス片を収納したヒノキ収納容器を下面に備えたものである。そして、ヒノキ収納容器は、その少なくとも一面を多孔質板によって形成し、ヒノキ収納容器には、ヒノキのチップ又はスライス片を出し入れするための開口部と、この開口部を閉止するための開閉可能な蓋と設ける。
【０００７】
本考案において、ヒノキ収納容器はリビングダイニングセットの下面に着脱可能に設けることができ、これによって、他のリビングダイニングセットにも取り付け可能とすることができる。
【０００８】
また、ヒノキ収納容器に収納されるヒノキのチップ又はスライス片にはヒノキオイルを含浸させることができる。これによって、ヒノキの香りをより一層長期に持続させことができるとともに、ヒノキの香りが薄くなった場合にはヒノキオイルを追加することでヒノキの香りを復活させることができ、メンテナンス性も向上する。
【０００９】
本考案においてリビングダイニングセットとしては、椅子、テーブル、ソファー及びその組合せが挙げられ、ヒノキの香りを強くするために、リビングダイニングセット自体もヒノキで製作することができる。無論、ヒノキ収納容器もヒノキで製作することができる。この場合、ヒノキの香りが損なわれないように、ヒノキ収納容器及びリビングダイニングセットの表面を石鹸処理液等にて仕上げることが好ましい。
【考案の効果】
【００１０】
本考案のリビングダイニングセットは、その下面にヒノキ収納容器を備えるのでヒノキの香りが長期に持続し、室内においてもその香りが持続するので、森林浴のようなヒーリング効果等を奏することができる。
【考案を実施するための最良の形態】
【００１１】
以下、図面に示す実施例に基づき本考案の実施の形態を説明する。
【実施例】
【００１２】
図１は本考案を椅子に適用した実施例を示す。同図に示す椅子はヒノキ材からなり、その下面にヒノキ収納容器１が木ねじ等によって着脱可能に取り付けられている。
【００１３】
図２はヒノキ収納容器１を示し、（ａ）はヒノキのスライス片を収納する前の状態、（ｂ）はヒノキのスライス片を収納した状態を示し、いずれも蓋を開いた状態で示す。
【００１４】
ヒノキ収納容器１はヒノキ材で形成されており、上面に開口部を有する箱型の容器本体２と、容器本体２の開口部を開閉可能なスライド式の蓋３とからなる。容器本体２の底部、正面部、及び蓋３は多孔質板によって形成されている。このヒノキ収納容器１は、容器本体２の開口部よりヒノキのスライス片４を入れ、蓋３を閉じた後に、図１に示すように椅子の下面に取り付けられる。
【００１５】
ここで、ヒノキのスライス片４にはヒノキオイルを含浸させておく。そうすると、ヒノキの香りがより一層長期に持続するとともに、使用途中でヒノキの香りが薄くなった場合でも、ヒノキオイルを追加することでヒノキの香りを復活させることができ、メンテナンス性も良好となる。
【００１６】
図３は、本考案をダイニングテーブルに適用した実施例を示す。同図に示すダイニングテーブルもヒノキ材からなり、その下面にヒノキ収納容器１が木ねじ等によって着脱可能に取り付けられている。
【００１７】
なお、上述のとおり、図１及び図３に示した椅子及びダイニングテーブルはヒノキ材からなるが、ヒノキの香りが損なわれないように、その表面に石鹸処理液を塗布して仕上げている。
【産業上の利用可能性】
【００１８】
本発明は、実施例に示した椅子、テーブルのほか、ソファー等の他のリビングダイニングセットにも適用可能である。
【図面の簡単な説明】
【００１９】
【図１】本考案を椅子に適用した実施例を示す。
【図２】本考案におけるヒノキ収納容器を示し、（ａ）はヒノキのスライス片を収納する前の状態、（ｂ）はヒノキのスライス片を収納した状態を示す。
【図３】本考案をダイニングテーブルに適用した実施例を示す。
【符号の説明】
【００２０】
１  ヒノキ収納容器
２  容器本体
３  蓋
４  ヒノキのスライス片
【図１】
0003113709.tif 000003
【図２】
0003113709.tif 000004
【図３】
0003113709.tif 000005
(57)【要約】【課題】動物、特に犬や猫等の手根球を保護し、ずり落ちにくい動物用のサポーターを提供することを目的とする。【解決手段】ずり落ちを防ぐために、サポーター本体を手根球に懸垂しておくための細いひも状の懸垂部分をサポーター本体上部に設ける。【選択図】図１
0003113716.tif 000002
【実用新案登録請求の範囲】
【請求項１】
手根球を覆い被せるくぼみを有したサポーター本体と前記サポーター本体を手根球上端より懸垂するバンドと前記サポーター本体を固定するバンドを備えた動物用サポーター
【考案の詳細な説明】
【技術分野】
【０００１】
本考案は動物用サポーターに属する。
【背景技術】
【０００２】
例えば動物、特に犬や猫が手根球をけがした場合、けがをした部分を保護するために包帯や布製のチューブ状のサポーター等が用いられている。
【考案の開示】
【考案が解決しようとする課題】
【０００３】
包帯や布製のチューブ状のサポーター等は手根球の場所に固定する手段を有していないため、非常にずり落ちやすく保護という目的を果たすことができないという問題がある。そこで、本考案は、前述のような従来の問題に鑑みてされたものであり、ずり落ちにくい動物用のサポーターを提供することを目的とする。
【課題を解決するための手段】
【０００４】
本考案によれば、手根球を覆い被せるくぼみを有したサポーター本体と前記サポーター本体を手根球上端より懸垂するバンドと前記サポーター本体を固定するバンドを備えた動物用サポーターが提供される。
【考案の効果】
【０００５】
サポーターが手根球から脱落することなく患部を保護することができる。
【考案を実施するための最良の形態】
【０００６】
図１はサポーターを後方から見た斜視図である。図２はサポーターを前方から見た斜視図である。図３は考案したサポーターの使用状況を示す平面図である。図１と図２と図３において符号を付した箇所は同じ要素を示している。サポーター本体２は動物、特に犬や猫等の手根球を覆い被せるくぼみ４を有している。サポーター本体２は患部の保護という目的から適度の剛性を有していることが望ましい。サポーター本体２のくぼみ４の上端にはサポーター本体２を手根球に保持しておくための懸垂バンド１が設けられている。サポーター本体２には固定するための固定バンド３が設けられている。固定バンド３はゴム状の紐でも公知の結束部材を用いて結束可能としてもよい。なお、懸垂ベルト１と固定バンド３は別々にしてもよいし、一体にしても構わない。懸垂ベルト１およびサポーター本体２の材質は特に制限はなく、プラスチック・皮革・布・金属・樹脂等で製作されればよい。
【図面の簡単な説明】
【０００７】
【図１】サポーターを後方から見た斜視図である。
【図２】サポーターを前方から見た斜視図である。
【図３】考案したサポーターの使用状況を示す平面図である。
【符号の説明】
【０００８】
１  懸垂バンド
２  サポーター本体
３  固定ベルト
４  くぼみ
【図１】
0003113716.tif 000003
【図２】
0003113716.tif 000004
【図３】
0003113716.tif 000005
【手続補正書】
【提出日】平成17年6月30日(2005.6.30)
【手続補正１】
【補正対象書類名】図面
【補正対象項目名】図３
【補正方法】変更
【補正の内容】
【図３】
0003113716.tif 000006